(57)【要約】【課題】  本発明は、ペンタキューブパズルにおいて、その面白さを損なうことなく、また利用する者や利用する場合によって、簡単に嵌め込む容易さのレベルを下げられるようにすることを目的とする。【解決手段】  平面上に構成したペンタキューブを並べるパズルであって、１キューブを１単位とした場合、例えば、縦８× 横８の大きさのレイアウトエリアを持つケースと、１キューブ角の角柱で長さがケースの縦の長さと同じ８のエリア縮小用長ブロックと、同じく１キューブ角の角柱で長さが７のエリア縮小用短ブロックとを有し、８×８の大きさのケースのレイアウトエリアに上記２種の縮小用ブロックレイアウトすることで、１辺が１キューブ小さいレイアウトエリアとなる。これによりパズルの嵌め込みの難易度を容易に下げることができる。【選択図】図６
2019130256.tif 000002
【特許請求の範囲】
【請求項１】
平面上に構成したペンタキューブを並べるパズルであって、
縦ａｎ × 横ａｎ で その周囲に深さが０.９ａ〜０.１ａのレイアウトエリアを持つケースと、
ｎ×ｎを５で割った余りがある場合は、余りのキューブ数を持ち平面上に構成されたブロックと、
ａ×ａ×ｎａと、ａ×ａ×（ｎ−1）ａのブロックであって、（ｎ−１）＝３の時はａ×ａ×（ｎ−1）ａの代わりに（ａ×ａ×ａ）のブロック２つと、
（ｎ−1）が４以上であるときの（ｎ−1）×（ｎ−1）を５で割った余りが、ｎ×ｎを５で割った余りと異なる場合は、その余りのキューブ数を持ち平面上に構成されたブロックとを持ち、
ｎが４〜８の整数のいずれか１つであって、
ａが５ｍｍ以上５０ｍｍ以下であることを特徴とするペンタキューブパズル。
【請求項２】
ケースの外形が縦（ｎ＋１）ａ× 横（ｎ＋１）ａ×高さａであることを特徴としたと、請求項１に記載のペンタキューブパズル。
【発明の詳細な説明】
【技術分野】
【０００１】
５つの同じ大きさの立方体をくっ付けたブロック（以下「ペンタキューブ」と言う）によるパズルに関するものである。
【背景技術】
【０００２】
ペンタキューブを使ったパズルは様々なものがあるが、組み立てを簡単にする目的でブロックを追加するよう構成されたものは見当たらない。
特許文献１には、パズルピースの容易な識別およびその方位づけを提供するために、マークを付けるものが示されている。
【先行技術文献】
【特許文献】
【０００３】
【特許文献１】特表２００４-５３６６７９号公報
【発明の概要】
【発明が解決しようとする課題】
【０００４】
本発明は、ペンタキューブパズルにおいて、その面白さを損なうことなく、また利用する者や利用する場合によって、簡単に嵌め込みの容易さのレベルを下げられるようにすることを目的とする。
【課題を解決するための手段】
【０００５】
ペンタキューブは、５つの同じ大きさの立方体（キューブ）をくっ付けたブロックのことであるが、ここでは、平面的に構成されたものだけを「ペンタキューブ」と言い、立体的に構成されたものは除く。また、正確に同じ大きさで正確な立方体では、ブロックとブロックの間に隙間ができないためブロックを組み合わせることが難しく、嵌め込みパズルにならないので、遊び（ゆとり）の寸法として、ブロックの表面を薄く削った形とする。
ペンタキューブは、図１に示すように１２種類ある。
本発明は、キューブの１辺を１単位とした場合、４×４、５×５、６×６、７×７、８×８の５種類の正方形の、規定されたエリア（以下「レイアウトエリア」と言う）を持つケース（箱）の、該レイアウトエリアの中にペンタキューブを嵌め入れる、嵌め込みパズルである。
【０００６】
本発明のケースの大きさは、ペンタキューブ１２種を全て並べられる８×８を最大とし、ペンタキューブ３種を並べられる４×４を最小とする。なお、３×３の場合は、ペンタキューブが１つしか置けないためパズルとして成立しない。
【０００７】
表１と表２にケースの寸法を示す。
表１は、単位をキューブとし、数値が長さを表すときはキューブの１辺の長さを１キューブとし、数値が面積を示すときはキューブの１面の面積を１キューブとする。ｎはレイアウトエリアの一辺の長さで、キューブの１辺の長さを単位とした、４〜８の整数である。
表２は、表１の単位をｍｍに置き換えたもので、１キューブの長さａを２５ｍｍとしたときの具体的な寸法を示している。
なお、ケースのレイアウトエリアは、枠で規定された凹部であるため、枠と嵌め込んだペンタキューブの間に、ペンタキューブを出し入れするための遊びが必要なため、表１に示すのキューブ寸法から１ｍｍ大きいものとし、表２にはその寸法を示した。
また、ブロックはその表面を薄く削り、外寸を表１に表示のキューブ寸法から１ｍｍ小さいものとし、表２にはその寸法を示した。
【表１】
2019130256.tif 000003
【表２】
2019130256.tif 000004
【０００８】
レイアウトエリアの面積は、４×４、５×５、６×６、７×７、８×８であり、それぞれキューブの１辺の長さであるａを掛ければ具体的な面積が算出される。１キューブの長さは、使い勝手から５ｍｍ以上、５０ｍｍ以内とする。
ケースの深さは、キューブ単位で０.９〜０.１とする。
ペンタキューブの平面の面積は、キューブ単位で５であるため、レイアウトエリアの面積を５で割った余りは、余りスペースとなる。余りスペースは、表１の「総キューブ数」の「÷５の余り」の欄に示す通りで、余りが１の場合は１辺１キューブの立方体、余りが４の場合は平面上の形が２×２か１×４の何れかのブロックとする。
【０００９】
さらに、ケースのレイアウトエリアより縦横それぞれ長さで１キューブ分小さい正方形の縮小レイアウトエリアを作るために、１キューブ平方の角柱で、長さがケースのレイアウトエリアの縦（または横）寸法と同寸法のブロックと、レイアウトエリアの縦寸法から１キューブ分短くしたブロックを、レイアウトエリアの外周の直行する２辺の内側に置く。それによってできる、縮小レイアウトエリアの総キューブ数を５で割った余りが、表１の「縮小エリア総キューブ数」の「÷５の余り」の欄に示すもので、１の場合は１辺１キューブの立方体、４の場合は平面上の面積が２×２か１×４の何れかのブロックとなる。
それぞれの大きさのケースごとに、「総キューブ数÷５の余り」のブロックと、２つのエリア縮小用ブロックと、「縮小エリア総キューブ数÷５の余り」のブロックが付属する。なお、余りが無い場合は、余りブロックもない。
【００１０】
請求項２に示す本発明は、ケースの外形平面寸法を縦横とも、レイアウトエリア平面寸法プラス１キューブの大きさとし、高さを１キューブとする。
【発明の効果】
【００１１】
レイアウトエリアを囲う枠があることによって、そのケースに嵌め入れるという行為、すなわち嵌る場合と嵌らない場合とが明確になり、使い勝手のよい面白いパズルとなる。
レイアウトエリアの大きさがキューブ単位で８×８の場合、ペンタキューブ１２種を全て並べられ、並んだ時の完成度が高いように感じられる。８×８以上の場合は同種のペンタキューブが複数必要になり、無理に大きくしたように感じられよくない。
７×７、６×６、５×５、４×４の順に、並べられるペンタキューブの数が減り、順に簡単に並べられるようになる。
ケースの形は正方形が最も整った形で、方向性が無く、完成度の高いパズルのように感じられる。また、上下と左右に違いが無いため大きさの異なるケースも重ね易い。
【００１２】
レイアウトエリアの深さが、キューブ単位で０.９〜０.１であり、ケースの外形の高さが１であるから、ケースの底の厚み分、レイアウトされたブロックが枠から飛び出て、ブロックが掴み易くなっている。深さが０.８〜０.５程度であると、ブロックを掴み易く嵌り具合もよく好ましい。深さが０.１〜０.３程度の場合は、ブロックは掴み易いが嵌り込みの感触が少ない。
【００１３】
１キューブの長さａが、５ｍｍ以下では、ペンタキューブの大きさが小さくなり過ぎ、扱い難い。逆に、５０ｍｍ以上になるとケースもペンタキューブも大きくなり重くなってやはり扱い難い。
レイアウトエリアのキューブ面積を５で割った余りの面積のブロックは、レイアウトエリアを埋めるためのもので、これがあることにより、ブロックを隙間なく嵌め込んだ時に、ケースを埋め尽くしたとうい達成感が生まれる。
【００１４】
エリア縮小用ブロックによって、元のレイアウトエリアより縦横それぞれ１キューブ分小さなレイアウトエリアになり、より簡単に嵌め込むことができる。
エリア縮小用ブロックは、１×１×５キューブの場合を除き、ペンタブロックと異なる大きさで嵌め込むブロックとの違いが明確なため、エリア縮小用ブロックを意識することなく、縮小エリアにペンタキューブを並べることができる。
本発明により、例えば認知症を患った高齢者に、簡単になったと認識されることなしに簡単なレベルの嵌め込みパズルを提供できる。これにより、高齢者は、簡単になったと残念がることなくまた飽きることなく、本ペンタキューブパズルに興味を持ち続けることができる。
また、逆に最初にエリア縮小用ブロックをレイアウトエリアに置いた状態で利用者に使ってもらい、パズルの完成が早くできるようになった段階で、エリア縮小用ブロックを外すこともできる。
【００１５】
請求項２の本発明により、大きなケースに入れた場合の小さなケースを、ペンタキューブブロックと同様、パズルのブロックとして扱い並べることができ、新たなレイアウトエリアのブロックパズルとして楽しむことができる。
【図面の簡単な説明】
【００１６】
【図１】ペンタキューブの全１２種を示す平面図
【図２】余りスペースブロックとエリア縮小用ブロックを示す平面図
【図３】ケースの平面図
【図４】ブロックが置かれたケースの断面図
【図５】ケースを、ペンタキューブと余りスペースブロックで埋め尽くした平面図
【図６】ケースと、エリア縮小用ブロックと縮小エリアを示す平面図
【図７】８×８のケースにエリア縮小用ブロックを並べ、１０キューブ分のレイアウトエリアが設けられた本発明の平面図
【図８】８×８のケースに４×４のケースを入れ、ペンタキューブとエリア縮小用ブロックでレイアウトエリアを埋め尽くした平面図
【図９】８×８から４×４のケースを積み重ねた平面図
【発明を実施するための形態】
【００１７】
図１は、実施の形態に使われるペンタキューブブロック１の１２種を示す平面図で、下に記載するアルファベットと数字は、ペンタキューブブロック１のそれぞれを指し示す記号である。
実施の形態では、ペンタキューブの大きさを、１キューブ２５ｍｍとしているが、１キューブの寸法が変われば、遊びの寸法や、表面を削る寸法も変わってくる。
図２は、実施の形態に使われる２種類の余りスペースブロック２と、５種類のエリア縮小用ブロック３の平面図である。下に記載するアルファベットと数字は、ブロックのそれぞれを指し示す記号である。
図１のI５のペンタキューブ１と、図２のI５のエリア縮小用ブロック３は、同じ寸法であり、換えて使われても差支えない。
なお、図２のI５のエリア縮小用ブロック３は、６×６のケース４の長さが５キューブのエリア縮小用短ブロック３-２と、５×５のケース４の長さが５キューブのエリア縮小用長ブロック３-１のことである。
ブロックは表面を０.５ｍｍ削っており、外寸で１ｍｍ小さくなっている。
【００１８】
図３は、実施の形態に使われる５種類のケース４の平面図である。
図の下に記載する数式は、ケースのレイアウトエリア５の面積をキューブ単位で示した記号で、それぞれのケースを指し示している。
レイアウトエリア５の寸法は、ブロックを並べるための遊びとして、枠４-２の内側が０.５ｍｍ削られているため、キューブ寸法より１ｍｍ大きくなっている。
レイアウトエリアを囲う枠４-２があることによって、そのケースに嵌め込むという行為が、言い換えると嵌る場合と嵌らない場合とが明確になり、使い勝手のよい面白いパズルとなる。
【００１９】
図４は、ケースの断面を示しており、ケースの底４-２の厚さは、０.３キューブの７.５ｍｍとなっている。
【００２０】
図５は、ケース４のレイアウトエリア５にペンタキューブ１を嵌め込んだところの平面図である。余りスペースブロック２はグレイで示した。余りスペース１ブロック２-１の面積は１キューブ、余りスペース４ブロック２-４の面積は４キューブである。
ペンタキューブ１のレイアウトは、その１例で、他にいくつものレイアウトが可能である。
【００２１】
図６は、実施の形態１を示す平面図で、それぞれの大きさのケース４に、エリア縮小用長ブロック３-１を１本とエリア縮小用短ブロック３-２を１本の計２本を、ただしケース４×４についてはエリア縮小用長ブロック３-１を１本だけ入れたものである。
図に示すように、エリア縮小用長ブロック３-１とエリア縮小用短ブロック３-２を、L字（図では９０°右回転している）となるようにレイアウトすると、レイアウトエリア５が、一つ小さいケース４のレイアウトエリア５と同じ大きさになるため、元のレイアウトエリア５にペンタキューブ１を嵌め込むより、簡単に嵌め込むことができる。
なお余りスペースブロック２の位置は、決められていない。
【００２２】
図７は、実施の形態２の１例を示す。ケース８×８のレイアウトエリア５-８に、ケース５種の全てのエリア縮小用ブロック３と余りスペース１ブロック２-１を２つ入れたもので、ケース４×４と同じレイアウトエリア５ができている。
大きなケース４であっても、エリア縮小用ブロック３を入れることで、小さなケース４と同じ大きさのレイアウトエリア５になるので、より簡単にペンタキューブ１を嵌めることができ、１つのケースで難易度を落としたパズルを楽しむことができる。
なお、エリア縮小用ブロック３を１つだけ入れて、使用してももちろんよい。
【００２３】
図８は、実施の形態３を示す。ケース８×８の中に、ケース４×４を入れて、ケース８×８のレイアウトエリア５-８からケース４×４の外形の５×５キューブを除いたエリアと、ケース４×４のレイアウトエリア５-４に、ペンタキューブ１と余りスペースブロック２を嵌め込んだものである。
これによりケース８×８を使って、別のエリアパターンのパズルを楽しむことができる。
【００２４】
図９は、５種類大きさのケース４を重ねたところを示す。大きなケース４のレイアウトエリア５に、１段小さなケース４がちょうど納まる寸法なので、スペースをとらず重ね置くことができる。
【符号の説明】
【００２５】
１    ペンタキューブ
２    余りスペースブロック
２-１    余りスペース１ブロック
２-４    余りスペース４ブロック
３    エリア縮小用ブロック
３-１    エリア縮小用長ブロック
３-２    エリア縮小用短ブロック
４    ケース
４-１    ケースの底
４-２    ケースの枠
４×４    レイアウトエリア４×４キューブのケース
８×８    レイアウトエリア８×８キューブのケース
５    レイアウトエリア
５-１    縮小されたレイアウトエリア
５-２    レイアウトエリアにできた隙間
５-４    ケース４×４のレイアウトエリア
５-８    ケース８×８のレイアウトエリア
【図１】
2019130256.tif 000005
【図２】
2019130256.tif 000006
【図３】
2019130256.tif 000007
【図４】
2019130256.tif 000008
【図５】
2019130256.tif 000009
【図６】
2019130256.tif 000010
【図７】
2019130256.tif 000011
【図８】
2019130256.tif 000012
【図９】
2019130256.tif 000013